【手続補正書】
【提出日】平成26年6月26日(2014.6.26)
【手続補正１】
【補正対象書類名】特許請求の範囲
【補正対象項目名】全文
【補正方法】変更
【補正の内容】
【特許請求の範囲】
【請求項１】
減圧によって少なくとも１つの組織部位を治療するシステムにおいて、
前記組織部位に近接して配置される第１の無線減圧ドレッシングであって、
分配マニホールド、
前記分配マニホールドの少なくとも一部分を覆うシール部材、
ＲＦＩＤアンテナ、
前記ＲＦＩＤアンテナに結合された第１のプロセッサ、および
前記第１のプロセッサに結合された第１のセンサ
を含む第１の無線減圧ドレッシングと；
ＲＦＩＤリーダおよび前記ＲＦＩＤリーダに結合された第２のプロセッサを含むリモートベースユニットと；
前記分配マニホールドに流体的に結合された減圧源と
を含むことを特徴とする、システム。
【請求項２】
請求項１に記載されたシステムにおいて、前記第１のセンサが圧力センサであることを特徴とする、システム。
【請求項３】
請求項２に記載されたシステムにおいて、前記第１の無線減圧ドレッシングが：温度センサ、ｐＨセンサ、湿度センサ、揮発性有機化合物センサ、血液センサ、および成長因子センサからなる群から選択される第２のセンサをさらに含むことを特徴とする、システム。
【請求項４】
請求項１または２または３に記載されたシステムにおいて、前記減圧源が前記リモートベースユニットに結合されており、前記リモートベースユニットが、前記減圧源に圧力制御信号を供給するように適合されていることを特徴とする、システム。
【請求項５】
請求項１または請求項２乃至４の何れか１項に記載されたシステムにおいて、前記減圧源および前記リモートベースユニットが統合治療ユニットを含むことを特徴とする、システム。
【請求項６】
請求項１または請求項２乃至５の何れか１項に記載されたシステムにおいて、前記第２のプロセッサが、ＩＤ信号を受信しかつ前記ＩＤ信号が承認済みレッシングを表すかどうかを判断するように適合されていることを特徴とする、システム。
【請求項７】
請求項１または請求項２乃至６の何れか１項に記載されたシステムにおいて、前記減圧源が、前記分配マニホールドに隣接してマイクロポンプを含むことを特徴とする、システム。
【請求項８】
請求項１または請求項２乃至７の何れか１項に記載されたシステムにおいて、前記第１の無線減圧ドレッシングがバッテリーを含まないことを特徴とする、システム。
【請求項９】
請求項１に記載されたシステムにおいて、前記第１の無線減圧ドレッシングが、第１の組織部位に隣接し、かつ第２の組織部位に隣接した第２の無線減圧ドレッシングをさらに含むことを特徴とする、システム。
【請求項１０】
減圧によって組織部位を治療する無線減圧ドレッシングにおいて、
前記組織部位に隣接して配置され、かつ前記組織部位に減圧をもたらす分配マニホールドと；
前記分配マニホールドの少なくとも一部分を覆うシール部材と；
第１のプロセッサと；
前記第１のプロセッサに結合されたＲＦＩＤアンテナと；
前記第１のプロセッサに結合された第１のセンサであって、圧力センサを含む第１のセンサと
を含むことを特徴とする、無線減圧ドレッシング。
【請求項１１】
請求項１０に記載の無線減圧ドレッシングにおいて、前記第１のプロセッサに結合された第２のセンサをさらに含み、前記第２のセンサが：温度センサ、ｐＨセンサ、湿度センサ、揮発性有機化合物センサ、血液センサ、および成長因子センサからなる群から選択されることを特徴とする、無線減圧ドレッシング。
【請求項１２】
減圧によって少なくとも１つの組織部位を治療するシステムにおいて、前記システムが：
前記組織部位に近接して配置される第１の無線減圧ドレッシングであって、
分配マニホールド、
前記分配マニホールドの少なくとも一部分を覆うシール部材、
前記分配マニホールドに減圧をもたらす減圧インターフェース、
第１のＲＦＩＤアンテナ、
前記第１のＲＦＩＤアンテナに結合された第１のプロセッサ、
前記第１のプロセッサに結合された第１のセンサ、
初めは閉鎖している膜であって、前記減圧インターフェースの少なくとも一部分を覆い、かつ前記閉鎖状態にあるときには、流体の流れを妨げるように適合されている膜、
前記膜に近接した解除要素であって、活性化されると、前記膜を閉鎖状態から非閉鎖状態に変化させるように動作可能な解除要素、
を含む第１の無線減圧ドレッシングと；
ＲＦＩＤリーダおよび第２のプロセッサを含むリモートベースユニットと；
前記分配マニホールドに流体的に結合された減圧源と；
を含み、
前記第２のプロセッサが、前記ＲＦＩＤリーダから前記第１の無線減圧ドレッシングへ活性化信号を送信するように構成されており、前記活性化信号に応答して、前記第１のプロセッサが前記解除要素に電力を供給して、前記膜を前記閉鎖状態から前記非閉鎖状態へ変化させるように構成されており；
前記第２のプロセッサが、前記ＲＦＩＤリーダによって前記第１の無線減圧ドレッシングへＩＤ問合せ信号を送信するように構成されており、かつ、前記ＩＤ問合せ信号に応答して、前記第１のプロセッサが、前記第１のＲＦＩＤアンテナによってＩＤメッセージ信号を送信するように構成されており；および
前記第２のプロセッサが、前記ＲＦＩＤリーダを介して前記ＩＤメッセージ信号を受信しかつ前記ＩＤメッセージ信号が容認可能なドレッシングのリストにあるドレッシングを表すかどうかを判断するように適合されていることを特徴とする、システム。
【請求項１３】
減圧によって組織部位を治療するシステムにおいて、
無線減圧ドレッシングであって：
分配マニホールド、
前記分配マニホールドを覆うシール部材、
減圧インターフェース、および
前記無線減圧ドレッシングに関連付けられたＷＩＳＰ装置
を含む無線減圧ドレッシングと；
前記ＷＩＳＰ装置と通信するためにＲＦＩＤリーダを含むリモートベースユニットと；
前記無線減圧ドレッシングに流体的に結合された減圧源と
を含むことを特徴とする、システム。
【請求項１４】
少なくとも１つの組織部位を治療するシステムにおいて、
前記組織部位に近接して配置される第１の無線減圧ドレッシングであって：
シール部材、
ＲＦＩＤアンテナ、
前記ＲＦＩＤアンテナに結合された第１のプロセッサ、および
前記第１のプロセッサに結合された第１のセンサ
を含む第１の無線減圧ドレッシングと；
ＲＦＩＤリーダおよび前記ＲＦＩＤリーダに結合された第２のプロセッサを含むリモートベースユニットと
を含むことを特徴とする、システム。
【請求項１５】
請求項１４に記載されたシステムにおいて、前記第１のセンサが圧力センサであることを特徴とする、システム。
【請求項１６】
請求項１４または１５に記載のシステムにおいて、前記第１の無線減圧ドレッシングが：温度センサ、ｐＨセンサ、湿度センサ、揮発性有機化合物センサ、血液センサ、および成長因子センサからなる群から選択される第２のセンサをさらに含むことを特徴とする、システム。
【請求項１７】
請求項１４または請求項１５乃至１６の何れか１項に記載されたシステムにおいて、前記減圧源が前記リモートベースユニットに結合されており、前記リモートベースユニットが、前記減圧源に圧力制御信号を供給するように適合されていることを特徴とする、システム。
【請求項１８】
請求項１４または請求項１５乃至１７の何れか１項に記載されたシステムにおいて、前記減圧源および前記リモートベースユニットが統合治療ユニットを含むことを特徴とする、システム。
【請求項１９】
請求項１４または請求項１５乃至１８の何れか１項に記載されたシステムにおいて、前記第２のプロセッサが、ＩＤ信号を受信しかつ前記ＩＤ信号が承認済みレッシングを表すかどうかを判断するように適合されていることを特徴とする、システム。
【請求項２０】
請求項１４または請求項１５乃至１９の何れか１項に記載されたシステムにおいて、前記第１の無線減圧ドレッシングがバッテリーを含まないことを特徴とする、システム。
【請求項２１】
請求項１４または請求項１５乃至２０の何れか１項に記載されたシステムにおいて、前記第１の無線減圧ドレッシングが、第１の組織部位に隣接し、かつ第２の組織部位に隣接した第２の無線減圧ドレッシングをさらに含むことを特徴とする、システム。
【請求項２２】
組織部位で使用するための無線減圧ドレッシングにおいて、
前記組織部位の少なくとも一部分を覆うシール部材と；
第１のプロセッサと；
前記第１のプロセッサに結合されたＲＦＩＤアンテナと；
前記第１のプロセッサに結合された第１のセンサと
を含むことを特徴とする、無線減圧ドレッシング。
【請求項２３】
請求項２２に記載の無線減圧ドレッシングにおいて、前記第１のセンサが圧力センサを含むことを特徴とする、無線減圧ドレッシング。
【請求項２４】
請求項２２または２３に記載の無線減圧ドレッシングにおいて、前記第１のプロセッサに結合された第２のセンサをさらに含み、前記第２のセンサが：温度センサ、ｐＨセンサ、湿度センサ、揮発性有機化合物センサ、血液センサ、および成長因子センサからなる群から選択されることを特徴とする、無線減圧ドレッシング。
【請求項２５】
請求項２２または請求項２３乃至２４の何れか１項に記載の無線減圧ドレッシングにおいて、分配マニホールドをさらに含むことを特徴とする、無線減圧ドレッシング。
【請求項２６】
請求項２２または請求項２３乃至２５の何れか１項に記載の無線減圧ドレッシングにおいて、前記減圧ドレッシングに流体的に結合された減圧源をさらに含むことを特徴とする、無線減圧ドレッシング。